(57)【要約】      （修正有）【課題】本体部を再利用しやすい保持具とこの保持具を備えるマスクとを提供する。【解決手段】マスクＭは、マスクＭの本体部であるハンカチ１０と、２本の紐部であるゴム紐２０と、４個のクリップ部であるダブルクリップ３０と、２個の長さ調整具であるコードストッパー４０と、４枚の両面テープと、から構成されている。クリップ部は、ダブルクリップ３０、又は、フィッシュクリップ３０Ｂである。【選択図】図１
0003227236.tif 000002
【実用新案登録請求の範囲】
【請求項１】
マスクの本体部を保持する保持具であって、
使用者の耳に掛けられる２本の紐部と、
各紐部の両端に取り付けられて前記本体部を着脱自在に把持するクリップ部と、
各紐部の長さを調整する長さ調整具と、
を備える、保持具。
【請求項２】
前記クリップ部は、ダブルクリップ、又は、フィッシュクリップである、請求項１に記載された、保持具。
【請求項３】
前記２本の紐部は、平ゴムから形成されるとともに、前記２本の紐部は、両面テープによって前記クリップ部に貼り付けられる、請求項１又は請求項２に記載された、保持具。
【請求項４】
請求項１乃至請求項３のいずれか一項に記載された保持具と、
マスクの本体部と、を備える、マスク。
【請求項５】
前記本体部に重ね合わされる不織布をさらに備える、請求項４に記載されたマスク。
【考案の詳細な説明】
【技術分野】
【０００１】
本考案は、口や鼻を覆うために使用するマスクに関するものである。
【背景技術】
【０００２】
従来のマスクは、布や不織布である本体部と、この本体部の両側に取り付けられるゴム紐部と、から構成されている。この従来のマスクのゴム紐部は、マスク本体に圧着（又は縫着）されているため、着脱できない構成となっている。
【先行技術文献】
【特許文献】
【０００３】
【特許文献１】実開平６−６４６５７号公報
【考案の概要】
【考案が解決しようとする課題】
【０００４】
そのため、従来のマスクでは、本体部を用途や好みに応じて別のものに交換することはできなかった。また、最近では、新型コロナウイルス（ｃｏｖｉｄ−１９）の流行によってマスクが品切れ状態となっており、適切な処理をした後にマスクを再利用することも推奨されている。
【０００５】
そこで、本考案は、本体部を再利用しやすい保持具と、この保持具を備えるマスクと、を提供することを目的としている。
【課題を解決するための手段】
【０００６】
前記目的を達成するために、第１の考案の保持具は、マスクの本体部を保持する保持具であって、使用者の耳に掛けられる２本の紐部と、各紐部の両端に取り付けられて前記本体部を着脱自在に把持するクリップ部と、各紐部の長さを調整する長さ調整具と、を備えている。
【０００７】
また、第２の考案の前記保持具の前記クリップ部は、ダブルクリップ、又は、フィッシュクリップであることが好ましい。この場合、ダブルクリップには平ゴムを使用することが好ましく、フィッシュクリップにはどのようなゴム紐を使用してもよい。
【０００８】
さらに、第３の考案の前記２本の紐部は、平ゴムから形成されるとともに、前記２本の紐部は、両面テープによって前記クリップ部に貼り付けられていることが好ましい。
【０００９】
また、第４の考案のマスクは、上述したいずれかに記載された保持具と、マスクの本体部と、を備えている。
【００１０】
さらに、第５の考案のマスクは、前記本体部の背面側に重ね合わされる不織布をさらに備えることが好ましい。
【考案の効果】
【００１１】
このように、第１の考案の保持具は、マスクの本体部を保持する保持具であって、使用者の耳に掛けられる２本の紐部と、各紐部の両端に取り付けられて本体部を着脱自在に把持するクリップ部と、各紐部の長さを調整する長さ調整具と、を備えている。このような構成であれば、クリップ部によって本体部を着脱自在に把持することによって、マスクの本体部を再利用しやすい保持具となる。
【００１２】
また、第２の考案の保持具のクリップ部は、ダブルクリップ、又は、フィッシュクリップであれば、市販品を用いた簡易な構成によってクリップ部を形成できる。
【００１３】
さらに、第３の考案の２本の紐部は、平ゴムから形成されるとともに、２本の紐部は、両面テープによってクリップ部に取り付けられていれば、結びつける場合と比べて外観を美しく維持できる。
【００１４】
また、第４の考案のマスクは、上述したいずれかに記載された保持具と、マスクの本体部と、を備えているため、クリップ部によって本体部を着脱自在に把持することによって、マスクの本体部を再利用しやすいマスクとなる。
【００１５】
さらに、第５の考案のマスクは、本体部の背面側に重ね合わされる不織布をさらに備えることで、ウイルス等のろ過の効果をいっそう高めることができる。
【図面の簡単な説明】
【００１６】
【図１】実施例１のマスクの構成要素を示す説明図である。
【図２】実施例１のマスクの作り方を示す説明図（その１）である。
【図３】実施例１のマスクの作り方を示す説明図（その２）である。
【図４】実施例１のマスクの作り方を示す説明図（その３）である。
【図５】実施例２のマスクの構成要素を示す説明図である。
【図６】実施例２のマスクの作り方を示す説明図（その１）である。
【図７】実施例２のマスクの作り方を示す説明図（その２）である。
【図８】実施例２のマスクの作り方を示す説明図（その３）である。
【考案を実施するための形態】
【００１７】
以下、本考案の実施の形態について図面を参照して説明する。ただし、以下の実施例に記載されている構成要素は例示であり、本発明の技術範囲をそれらのみに限定する趣旨のものではない。
【実施例１】
【００１８】
（構成）
まず、図１を用いて、保持具Ｈを備えるマスクＭの全体構成を説明する。本考案のマスクＭは、図１に示すように、マスクＭの本体部であるハンカチ１０と、２本の紐部であるゴム紐２０、２０と、４個のクリップ部であるダブルクリップ３０、・・・と、２個の長さ調整具であるコードストッパー４０、４０と、４枚の両面テープ５０、・・・と、から構成されている。
【００１９】
本体部であるハンカチ１０は、例えば正方形のタオルハンカチやガーゼハンカチであり、使用時には使用者の口及び／又は鼻を覆うための所定面積を有する面部材である。さらに、図示するように、ハンカチ１０の背面側（内側）には、不織布６０を重ね合わせることが好ましい。なお、不織布６０がなければ、ハンカチ１０単体でももちろん使用可能である。
【００２０】
紐部であるゴム紐２０は、例えば、平ゴム紐や丸ゴム紐であり、使用時には使用者の耳に掛けられる長尺部材である。なお、紐部は伸縮性のあるゴム紐２０でなくてもよく、耳に掛けられるものであればよい。
【００２１】
クリップ部であるダブルクリップ３０は、挟持後につまみの部分を折り返すことによって、かさばらないようにすることが可能なクリップである。バインダークリップ(Binder clip)又は、フォウルドバッククリップ(Foldback clip)とも呼称される。
【００２２】
長さ調整具であるコードストッパー４０は、円筒部の側面にバネを有するボタン部がはめ込まれており、ボタン部は外向きに弾性力によって押圧されている。したがって、ボタン部を押さなければ円筒部に挿通されたゴム紐２０を押し潰して固定し、ボタン部を押せば円筒部に挿通されたゴム紐２０が自由に移動できるようになっている。
【００２３】
両面テープ５０は、ダブルクリップ３０の厚みを構成する背部に貼りつけられるものであり、ゴム紐２０をダブルクリップ３０に固定するために使用される。すなわち、ゴム紐２０を結びつけることで見た目が損なわれることを防止するために、両面テープ５０を用いてゴム紐２０をダブルクリップ３０の背部に貼りつけて固定することができる。
【００２４】
そして、上述した２本の紐部であるゴム紐２０、２０と、４個のクリップ部であるダブルクリップ３０、・・・と、２個の長さ調整具であるコードストッパー４０、４０と、によって本実施例の保持具Ｈが構成されている。加えて、上述したように、保持具Ｈは、両面テープ５０や不織布６０をさらに備えることも好ましい。
【００２５】
（マスクの作り方）
次に、図２〜図４を用いて、実施例１の保持具Ｈを用いたマスクＭの作り方について説明する。マスクＭを作る前に、あらかじめ、保持具Ｈとハンカチ１０を準備しておく。
【００２６】
（１）図２（ａ）に示すように、ハンカチ１０を半分に折りたたむ。なお、ハンカチ１０は顔の大きさに合わせて折りたためばよい。
（２）図２（ｂ）に示すように、裏（背面側、肌に触れる側）に不織布６０を重ね合わせる。
【００２７】
（３）図３（ａ）に示すように、ダブルクリップ３０にゴム紐２０を結びつける。結び目が気になる場合は、両面テープ５０を使うと美しく仕上がる。ゴム紐２０が外側に出るように挟むことが好ましい。
（４）図３（ｂ）に示すように、ダブルクリップ３０でハンカチ１０の４箇所（４隅）を留め、ダブルクリップ３０のつまみを内側へ折り返す。
【００２８】
（５）図４（ａ）に示すように、ゴム紐２０の輪を、コードストッパー４０へ通す。この際は、コードストッパー４０の下部（ボタン部）を押すと紐を通す孔が見えるようになっている。
（６）図４（ｂ）に示すように、コードストッパー４０でゴム紐２０の長さを調整することでマスクＭが完成する。
【００２９】
なお、ハンカチ１０及びゴム紐２０は、使用後は毎日洗うことが好ましい。コードストッパー４０で指を挟まないように気を付けることが好ましい。
【実施例２】
【００３０】
以下、図５〜図８を用いて、実施例１とは別形態のクリップ部であるフィッシュクリップ３０Ｂを備える保持具Ｈについて説明する。なお、実施例１で説明した内容と同一乃至均等な部分の説明については同一符号を付して説明する。
【００３１】
（構成）
まず、図５を用いて、本考案の保持具Ｈを備えるマスクＭの全体構成を説明する。マスクＭは、図１に示すように、マスクＭの本体部であるハンカチ１０と、２本の紐部であるゴム紐２０、２０と、４個のクリップ部であるフィッシュクリップ３０Ｂ、・・・と、２個の長さ調整具であるコードストッパー４０、４０と、から構成されている。このうち、フィッシュクリップ３０Ｂを除く構成要素は実施例１と略同様であるから説明を省略する。
【００３２】
フィッシュクリップ３０Ｂは、固定腕と揺動腕とから構成されており、揺動腕を起こすことによって開いた後に、揺動腕を倒すことによって閉じて布等を挟持することが可能なクリップである。さらに、フィッシュクリップ３０Ｂの基部には、ゴム紐２０を固定するための固定部が形成されている。固定部は、例えば、輪であってもよいし、噛みこみ式の揺動歯であってもよい。
【００３３】
（マスクの作り方）
次に、図６〜図８を用いて、実施例２の保持具Ｈを用いたマスクＭの作り方について説明する。マスクＭを作る前に、あらかじめ、保持具Ｈとハンカチ１０を準備しておく。
【００３４】
（１）図６（ａ）に示すように、ハンカチ１０を半分に折りたたむ。なお、ハンカチ１０は顔の大きさに合わせて折りたためばよい。
（２）図６（ｂ）に示すように、裏（背面側、肌に触れる側）に不織布６０を重ね合わせる。
【００３５】
（３）図７（ａ）に示すように、ゴム紐２０の両端部をフィッシュクリップ３０Ｂの穴に挿通し、結びつける。
（４）図７（ｂ）に示すように、フィッシュクリップ３０Ｂでハンカチ１０の４箇所（４隅）を留める。
【００３６】
（５）図８（ａ）に示すように、ゴム紐２０の輪を、コードストッパー４０へ通す。この際は、コードストッパー４０の下部（ボタン部）を押すと紐を通す孔が見えるようになっている。
（６）図８（ｂ）に示すように、コードストッパー４０でゴム紐２０の長さを調整することでマスクＭが完成する。
【００３７】
なお、ハンカチ１０及びゴム紐２０は、使用後は毎日洗うことが好ましい。フィッシュクリップ３０Ｂやコードストッパー４０で指を挟まないように気を付けることが好ましい。
【００３８】
なお、この他の構成および作用効果については、実施例１と略同様であるため説明を省略する。
【００３９】
以上、図面を参照して、本考案の実施例を詳述してきたが、具体的な構成は、この実施例に限らず、本考案の要旨を逸脱しない程度の設計的変更は、本考案に含まれる。
【符号の説明】
【００４０】
１０        ：ハンカチ
２０        ：ゴム紐
３０        ：ダブルクリップ
３０Ｂ      ：フィッシュクリップ
４０        ：コードストッパー
５０        ：両面テープ
６０        ：不織布
Ｈ          ：保持具
Ｍ          ：マスク
【図１】
0003227236.tif 000003
【図２】
0003227236.tif 000004
【図３】
0003227236.tif 000005
【図４】
0003227236.tif 000006
【図５】
0003227236.tif 000007
【図６】
0003227236.tif 000008
【図７】
0003227236.tif 000009
【図８】
0003227236.tif 000010